(57)【要約】【課題】ドライバ毎に応じた運転支援を適切に行うことができる運転支援装置及び運転支援方法を提供する。【解決手段】運転支援装置１は、自車両の周辺物体に対する相対接近速度における当該自車両の車幅方向成分に関する車幅成分指標値を取得する指標値取得部３２と、過去の周辺物体に対するドライバによる反応操作の運転履歴に基づいて、ドライバの運転反応傾向が車幅方向反応傾向であるか進行方向反応傾向であるかを判定する運転反応傾向判定部３５と、運転反応傾向判定部３５の判定結果及び車幅成分指標値に基づいて、自車両の運転支援制御を行う運転支援決定部３６と、を備え、運転支援決定部３６は、運転反応傾向判定部３５によりドライバの運転反応傾向が進行方向反応傾向であると判定された場合に、指標値取得部３２によって取得された車幅成分指標値が小さいほど、運転支援制御の支援度合いを高める。【選択図】図１
2015153200.tif 000002
【特許請求の範囲】
【請求項１】
自車両のドライバによる運転を支援する運転支援制御を行う運転支援装置であって、
前記自車両の周辺物体に対する相対接近速度における当該自車両の車幅方向成分に関する車幅成分指標値を取得する指標値取得部と、
過去の前記周辺物体に対する前記ドライバによる反応操作の運転履歴に基づいて、前記ドライバの運転反応傾向が車幅方向反応傾向であるか進行方向反応傾向であるかを判定する運転反応傾向判定部と、
前記運転反応傾向判定部の判定結果及び前記車幅成分指標値に基づいて、前記自車両の運転支援制御を行う運転支援決定部と、
を備え、
前記運転支援決定部は、
前記運転反応傾向判定部により前記ドライバの運転反応傾向が前記進行方向反応傾向であると判定された場合に、前記指標値取得部によって取得された前記車幅成分指標値が小さいほど、前記運転支援制御の支援度合いを高める、
運転支援装置。
【請求項２】
前記運転支援決定部は、
前記運転反応傾向判定部により前記ドライバの運転反応傾向が前記進行方向反応傾向であると判定された場合に、前記指標値取得部によって取得された前記車幅成分指標値が予め定められた規定値より小さい場合、当該車幅成分指標値が当該規定値より大きい場合と比べて、前記運転支援制御の支援度合いを高める、
請求項１に記載の運転支援装置。
【請求項３】
過去の前記周辺物体に対する前記ドライバの反応操作時における車幅方向指標値及び進行方向指標値の履歴を取得する履歴取得部を更に備え、
前記運転反応傾向判定部は、前記車幅方向指標値及び前記進行方向指標値の履歴に基づいて、前記ドライバの運転反応傾向が前記車幅方向反応傾向であるか前記進行方向反応傾向であるかを判定し、
前記車幅方向指標値は、過去の前記周辺物体に対する前記ドライバの反応操作時における当該周辺物体と前記自車両との車幅方向の距離と、当該周辺物体と前記自車両との車幅方向の相対接近速度に基づく指標値であり、
前記進行方向指標値は、過去の前記周辺物体に対する前記ドライバの反応操作時における当該周辺物体と前記自車両との進行方向の距離と、当該周辺物体と前記自車両との進行方向の相対接近速度に基づく指標値である、
請求項１又は２に記載の運転支援装置。
【請求項４】
自車両のドライバによる運転を支援する運転支援制御を行う運転支援装置が行う運転支援方法であって、
前記自車両の周辺物体に対する相対接近速度における当該自車両の車幅方向成分に関する車幅成分指標値を前記運転支援装置が取得する指標値取得ステップと、
過去の前記周辺物体に対する前記ドライバによる反応操作の運転履歴に基づいて、前記ドライバの運転反応傾向が車幅方向反応傾向であるか進行方向反応傾向であるかを前記運転支援装置が判定する運転反応傾向判定ステップと、
前記運転反応傾向判定ステップにおける判定結果及び前記車幅成分指標値に基づいて、前記自車両の運転支援制御を前記運転支援装置が行う運転支援決定ステップと、
を含み、
前記運転支援決定ステップでは、
前記運転反応傾向判定ステップにより前記ドライバの運転反応傾向が前記進行方向反応傾向であると判定された場合に、前記指標値取得ステップによって取得された前記車幅成分指標値が小さいほど、前記運転支援制御の支援度合いを前記運転支援装置が高める、
運転支援方法。
【発明の詳細な説明】
【技術分野】
【０００１】
本発明は、運転支援装置及び運転支援方法に関する。
【背景技術】
【０００２】
従来、車両に搭載され、当該車両の周囲に存在する移動体との衝突可能性を予測する装置が知られている。例えば、特許文献１には、移動体の位置及び移動速度から当該移動体の進路を予測し、車両の位置及び移動速度から当該車両の進路を予測し、これらの予測結果に基づいて当該車両と当該移動体とが衝突する可能性を判断し、衝突可能性がある場合に運転者に警報を発生する装置が記載されている。
【先行技術文献】
【特許文献】
【０００３】
【特許文献１】特開２００３−８１０３７号公報
【発明の概要】
【発明が解決しようとする課題】
【０００４】
特許文献１に記載の装置では、車両及び移動体の進路を予測して当該車両と当該移動体との衝突可能性がある場合に警報を発生するに留まっており、ドライバ毎に応じた適切な運転支援は行われない。このため、ドライバ毎に応じた運転支援において改善の余地がある。
【課題を解決するための手段】
【０００５】
本発明の一態様に係る運転支援装置は、自車両のドライバによる運転を支援する運転支援制御を行う運転支援装置であって、自車両の周辺物体に対する相対接近速度における当該自車両の車幅方向成分に関する車幅成分指標値を取得する指標値取得部と、過去の周辺物体に対するドライバによる反応操作の運転履歴に基づいて、ドライバの運転反応傾向が車幅方向反応傾向であるか進行方向反応傾向であるかを判定する運転反応傾向判定部と、運転反応傾向判定部の判定結果及び車幅成分指標値に基づいて、自車両の運転支援制御を行う運転支援決定部と、を備え、運転支援決定部は、運転反応傾向判定部によりドライバの運転反応傾向が進行方向反応傾向であると判定された場合に、指標値取得部によって取得された車幅成分指標値が小さいほど、運転支援制御の支援度合いを高める。車幅方向反応傾向と進行方向反応傾向とは、例えば、統計的に求められた平均的なドライバの運転反応傾向を基準として分けることができる。ここで、車幅方向反応傾向は、例えば、基準となる運転反応傾向と比べて、自車両の周辺物体に対する車幅方向の接近度合いが小さくても早めに当該周辺物体に対する反応操作を行うことが多い傾向である。進行方向反応傾向は、例えば、基準となる運転反応傾向と比べて、自車両の周辺物体に対する車幅方向の接近度合いが大きくならないと当該周辺物体に対する反応操作を行わないことが多い傾向である。この接近度合いは、例えば、自車両と周辺物体との距離が短いほど高くなり、自車両と周辺物体との相対接近速度が大きいほど高くなる。なお、相対接近速度とは、周辺物体が自車両に相対的に接近してくる場合の、周辺物体と自車両との相対速度である。
【０００６】
本発明者は、周辺物体に対するドライバの運転反応傾向とドライバの反応操作時の周辺物体及び自車両の接近の状況との関係について新たに着目し、鋭意研究を行った。その結果、本発明者は、ドライバの運転反応傾向が進行方向反応傾向である場合、当該ドライバは自車両と周辺物体の相対接近速度の車幅方向成分が小さいほど周辺物体に対する反応が遅れることが多いことを新たに見出した。上述した本発明の一態様に係る運転支援装置によれば、過去の周辺物体に対するドライバの反応操作の運転履歴に基づいてドライバの運転反応傾向が進行方向反応傾向であると判定された場合に、相対接近速度の車幅方向成分に関する車幅成分指標値が小さいほど、運転支援制御の支援度合いが高められる。従って、この運転支援装置によれば、進行方向反応傾向のドライバの反応が遅れる可能性の高い周辺物体について、運転支援制御の支援度合いを高めることができるので、ドライバの運転反応傾向を考慮しない場合と比べて、ドライバ毎に応じた適切な運転支援が可能になる。
【０００７】
一実施形態では、運転支援決定部は、運転反応傾向判定部によりドライバの運転反応傾向が進行方向反応傾向であると判定された場合に、指標値取得部によって取得された車幅成分指標値が予め定められた規定値より小さい場合、当該車幅成分指標値が当該規定値より大きい場合と比べて、運転支援制御の支援度合いを高めてもよい。
【０００８】
この場合、車幅成分指標値が予め定められた規定値より小さい周辺物体を、進行方向反応傾向のドライバの反応が遅れる可能性の高い周辺物体として、運転支援制御の支援度合いを高めることができるので、ドライバの運転反応傾向を考慮しない場合と比べて、ドライバ毎に応じた適切な運転支援が可能になる。
【０００９】
一実施形態では、過去の周辺物体に対するドライバの反応操作時における車幅方向指標値及び進行方向指標値の履歴を取得する履歴取得部を更に備え、運転反応傾向判定部は、車幅方向指標値及び進行方向指標値の履歴に基づいて、ドライバの運転反応傾向が車幅方向反応傾向であるか進行方向反応傾向であるかを判定し、車幅方向指標値は、過去の周辺物体に対するドライバの反応操作時における当該周辺物体と自車両との車幅方向の距離と、当該周辺物体と自車両との車幅方向の相対接近速度に基づく指標値であり、進行方向指標値は、過去の周辺物体に対するドライバの反応操作時における当該周辺物体と自車両との進行方向の距離と、当該周辺物体と自車両との進行方向の相対接近速度に基づく指標値であってもよい。
【００１０】
この場合、過去の周辺物体に対するドライバの反応操作時における車幅方向指標値及び進行方向指標値の履歴が取得され、当該履歴に基づいて、ドライバの運転反応傾向が車幅方向反応傾向であるか進行方向反応傾向であるかが判定される。このように、ドライバの反応操作時における車幅方向指標値及び進行方向指標値の履歴に基づいて、ドライバの運転反応傾向が判定されるため、ドライバの運転反応傾向の判定精度を高めることが可能になる。
【００１１】
本発明の一態様に係る運転支援方法は、自車両のドライバによる運転を支援する運転支援制御を行う運転支援装置が行う運転支援方法であって、自車両の周辺物体に対する相対接近速度における当該自車両の車幅方向成分に関する車幅成分指標値を運転支援装置が取得する指標値取得ステップと、過去の周辺物体に対するドライバによる反応操作の運転履歴に基づいて、ドライバの運転反応傾向が車幅方向反応傾向であるか進行方向反応傾向であるかを運転支援装置が判定する運転反応傾向判定ステップと、運転反応傾向判定ステップにおける判定結果及び車幅成分指標値に基づいて、自車両の運転支援制御を運転支援装置が行う運転支援決定ステップと、を含み、運転支援決定ステップでは、運転反応傾向判定ステップによりドライバの運転反応傾向が進行方向反応傾向であると判定された場合に、指標値取得ステップによって取得された車幅成分指標値が小さいほど、運転支援制御の支援度合いを運転支援装置が高める。
【００１２】
この運転支援方法によれば、過去の周辺物体に対するドライバの反応操作の運転履歴に基づいてドライバの運転反応傾向が進行方向反応傾向であると判定された場合に、相対接近速度の車幅方向成分に関する車幅成分指標値が小さいほど、運転支援制御の支援度合いが高められる。従って、この運転支援方法によれば、進行方向反応傾向のドライバの反応が遅れる可能性の高い周辺物体について、運転支援制御の支援度合いを高めることができるので、ドライバの運転反応傾向を考慮しない場合と比べて、ドライバ毎に応じた適切な運転支援が可能になる。
【発明の効果】
【００１３】
本発明の種々の側面及び実施形態によれば、ドライバ毎に応じた運転支援を適切に行うことができる運転支援装置及び運転支援方法を提供することができる。
【図面の簡単な説明】
【００１４】
【図１】本発明の一実施形態に係る運転支援装置の機能構成を示すブロック図である。
【図２】前後方向接近感指標及び横方向接近感指標の算出方法について説明するための説明図である。
【図３】前後方向接近感指標及び横方向接近感指標の組合せの分布の一例を示すグラフである。
【図４】報知の度合いの高さのイメージについて説明するための説明図である。
【図５】図３の分布の場合における警報内容の一例のイメージについて説明するための説明図である。
【図６】前後方向接近感指標及び横方向接近感指標の組合せの分布の一例を示すグラフである。
【図７】図６の分布の場合における警報内容の一例のイメージについて説明するための説明図である。
【図８】一実施形態に係る運転支援装置の動作について説明するフロー図である。
【図９】一実施形態に係る運転支援装置の動作について説明するフロー図である。
【図１０】一実施形態に係る運転支援装置の動作について説明するフロー図である。
【図１１】一実施形態に係る運転支援装置の動作について説明するフロー図である。
【発明を実施するための形態】
【００１５】
以下、本発明の好適な実施形態について、図面を参照して詳細に説明する。なお、各図において同一又は相当部分には同一符号を付し、重複する説明を省略する。
【００１６】
図１に示されるように、本実施形態に係る運転支援装置１は、自車両に備えられ、自車両のドライバの運転を支援する装置である。自車両は、例えば、乗用車であってもよく、貨物車等であってもよい。運転支援装置１は、自車両の周囲に位置する周辺物体を検出し、周辺物体の回避に関する自車両の運転支援制御を行う。周辺物体とは、例えば、自車両の周囲に位置する歩行者、自転車、他車両、建造物その他の障害物である。
【００１７】
また、周辺物体の回避に関する運転支援制御とは、周辺物体との接触を回避するためにドライバの運転を支援する制御である。運転支援制御の例として、警報による報知、発光による報知、振動による報知、音声による報知等が挙げられる。なお、運転支援制御には、自車両の自動的な制動又は自動的な操舵により周辺物体を自動的に回避する回避制御を含んでもよい。
【００１８】
また、運転支援装置１は、過去の周辺物体に対するドライバによる反応操作の運転履歴を記録している。反応操作とは、周辺物体の存在を認識したドライバによる周辺物体と自車両の接触を回避するための操作である。反応操作としては、例えば、周辺物体との距離を確保するためのアクセルペダルＯＦＦ操作（アクセルペダルが踏まれた状態から踏まれていない状態にするための操作）、周辺物体との距離を確保するためのエンジンブレーキＯＮ操作（エンジンブレーキが有効となっている状態にするための操作）、周辺物体との距離を確保するためのブレーキペダルＯＮ操作（ブレーキペダルが踏まれていない状態から踏まれた状態にするための操作）、周辺物体との接触を防止することを目的とした車線変更等のための操舵操作、その操舵を一部（又は全部）戻すための操舵操作が挙げられる。
【００１９】
運転支援装置１は、過去の周辺物体に対するドライバによる反応操作の運転履歴として、自車両の周辺物体に対するドライバの反応操作毎に、進行方向指標値（以下、前後方向接近感指標と称する）及び車幅方向指標値（以下、横方向接近感指標と称する）の組合せを記録する。
【００２０】
前後方向接近感指標とは、周辺物体と自車両との進行方向の距離と、周辺物体と自車両との進行方向の相対接近速度とに基づく指標値である。前後方向接近感指標は、例えば、周辺物体及び自車両における進行方向の相対接近速度を進行方向の距離で除して得られる除算値である。横方向接近感指標とは、周辺物体と自車両との車幅方向の距離と、周辺物体と自車両との車幅方向の相対接近速度とに基づく値である。横方向接近感指標は、例えば周辺物体及び自車両における車幅方向の相対接近速度を車幅方向の距離で除して得られる除算値である。ここで、相対接近速度とは、周辺物体が自車両に相対的に接近してくる場合の周辺物体と自車両との相対速度である。
【００２１】
運転支援装置１は、過去の周辺物体に対するドライバによる反応操作の運転履歴に基づいて、ドライバの運転反応傾向が進行方向反応傾向であるか車幅方向反応傾向であるかを判定する。ドライバの運転反応傾向とは、例えば、自車両の進行方向に位置する周辺物体を回避するための反応操作時における周辺物体との相対的な走行状況に関するドライバの運転傾向である。車幅方向反応傾向と進行方向反応傾向とは、例えば、統計的に求められた平均的なドライバの運転反応傾向を基準として分けることができる。また、進行方向反応傾向とは、例えば、基準となる運転反応傾向と比べて、自車両の周辺物体に対する車幅方向の接近度合いが小さくても早めに当該周辺物体に対する反応操作を行うことが多い傾向である。車幅方向反応傾向とは、例えば、基準となる運転反応傾向と比べて、自車両の周辺物体に対する車幅方向の接近度合いが大きくならないと当該周辺物体に対する反応操作を行わないことが多い傾向である。
【００２２】
具体的に、運転支援装置１は、過去の周辺物体に対するドライバによる反応操作の運転履歴のうち、反応操作毎の前後方向接近感指標及び横方向接近感指標の履歴に基づいて、ドライバの運転反応傾向が進行方向反応傾向であるか車幅方向反応傾向であるかを判定する。進行方向反応傾向及び車幅方向反応傾向の判定の基準としては、例えば、統計的に求められた平均的なドライバの運転反応傾向を採用することができる。ドライバの運転反応傾向の判定について詳しくは後述する。なお、進行方向反応傾向及び車幅方向反応傾向のより具体的な説明についても後述する。
【００２３】
運転支援装置１は、判定したドライバの運転反応傾向と、周辺物体の検出結果に基づいて、周辺物体の回避に関する自車両の運転支援制御を行う。運転支援装置１は、例えば、ドライバの運転反応傾向が進行方向反応傾向であると判定した場合、検出した周辺物体と自車両との相対接近速度に関する車幅成分指標値が小さいほど、運転支援制御の支援度合い（支援の強さ）を高くする。車幅成分指標値とは、例えば、検出した周辺物体と自車両との相対接近速度における当該自車両の車幅方向成分に関する指標値である。
【００２４】
また、運転支援装置１は、ドライバの運転反応傾向が進行方向反応傾向であると判定した場合、上記の車幅成分指標値が予め定められた規定値より小さい場合に、当該車幅方向成分が当該規定値より大きい場合と比べて、運転支援制御の支援度合いを高くしてもよい。このような規定値は、複数設けることができる。規定値の具体的な説明については後述する。
【００２５】
また、運転支援装置１は、例えば、ドライバの運転反応傾向が車幅方向反応傾向である場合、上記の車幅成分指標値が小さいほど、運転支援制御の支援度合いを低くしてもよい。
【００２６】
以下、運転支援装置１が搭載される自車両は特定の一名のドライバによって利用されることを前提として説明を行う。なお、自車両を複数のドライバが利用する場合、各ドライバを個別に認証して各ドライバの運転反応傾向に基づいて運転支援制御を行う態様としてもよい。すなわち、運転支援装置１は、ドライバの個別認証を行う個別認証装置を有していてもよい。個別認証装置としては、周知のものを採用することができる。この場合、運転支援装置１は、ドライバごとに個別に運転履歴を記録する。また、運転支援装置１は、ドライバごとに個別に運転反応傾向を判定する。
【００２７】
以下、運転支援装置１の構成について説明する。図１に示されるように、運転支援装置１は、装置を統括的に制御する運転支援ＥＣＵ[Electronic  Control  Unit]３０を備えている。運転支援ＥＣＵ３０は、ＣＰＵ[Central  Processing  Unit]、ＲＯＭ[Read  Only  Memory]、ＲＡＭ[Random  Access  Memory]などからなる電子制御ユニットである。運転支援ＥＣＵ３０では、ＲＯＭに記憶されているアプリケーションプログラムをＲＡＭにロードし、ＣＰＵで実行することで、ＡＣＣ［Adaptive  Cruise  Control］やブレーキアシスト等の運転支援制御に係る演算処理が行われる。運転支援ＥＣＵ３０は、走行状態検出部１０、周辺物体検出部１２、運転操作検出部１４と接続されている。また、運転支援ＥＣＵ３０は、報知部４０と接続されている。
【００２８】
走行状態検出部１０は、自車両の走行状態に関する情報を検出する。一実施形態においては、走行状態検出部１０は、車速センサ１６及び加速度センサ１８を備えている。車速センサ１６は、自車両の速度を検出するセンサである。加速度センサ１８は、自車両の加速度及び減速度を検出するセンサである。走行状態検出部１０は、各種センサを用いて検出した自車両の速度及び加速度及び減速度を含む自車両走行情報を運転支援ＥＣＵ３０に出力する。
【００２９】
周辺物体検出部１２は、自車両の周辺に位置する周辺物体を検出する周辺物体検出部としての機能を有する。一実施形態においては、周辺物体検出部１２は、レーダ２０又は車外カメラ２２を備えている。レーダ２０は、周辺物体との距離等を測定する装置である。レーダ２０は、例えば電磁波を水平面内でスキャンしながら送信し、周辺物体に反射して戻ってくる反射波を受信する。そして、レーダ２０は、例えば、受信信号の周波数変化から周辺物体の有無、自車両から見た周辺物体の方位、自車両から周辺物体までの距離、自車両に対する周辺物体の相対速度、自車両に対する周辺物体の相対加速度等の情報を取得する。車外カメラ２２は、例えば多眼カメラであり、自車両の前後方向や左右方向を所定の頻度で撮像する。これにより、車外カメラ２２は、例えば、周辺物体の有無、自車両から見た周辺物体の方位、自車両から周辺物体までの相対距離、自車両に対する周辺物体の相対速度、自車両に対する周辺物体の相対加速度等の情報を取得する。周辺物体検出部１２は、各種センサを用いて検出した周辺物体の方位、自車両と周辺物体の相対速度、相対加速度、及び相対距離を含む周辺物体情報の検出結果を運転支援ＥＣＵ３０に出力する。
【００３０】
運転操作検出部１４は、自車両のドライバによる運転操作を検出する。一実施形態においては、運転操作検出部１４は、ブレーキペダルセンサ２４、アクセルペダルセンサ２６、及び操舵センサ２８を備えている。ブレーキペダルセンサ２４は、ブレーキペダルの踏み込みタイミング及び踏み込み量を検出するセンサである。アクセルペダルセンサ２６は、アクセルペダルの踏み込みタイミング及び踏み込み量を検出するセンサである。操舵センサ２８は、操舵の開始タイミング及びその操舵の操舵量を検出するセンサである。運転操作検出部１４は、自車両のドライバによる運転操作の内容を含む運転操作情報を運転支援ＥＣＵ３０に出力する。
【００３１】
運転支援ＥＣＵ３０は、指標値取得部３２、履歴取得部３４、運転反応傾向判定部３５、及び運転支援決定部３６を備えている。
【００３２】
指標値取得部３２は、走行状態検出部１０から出力された自車両走行情報、周辺物体検出部１２から出力された周辺物体情報、及び運転操作検出部１４から出力された運転操作情報に基づいて、自車両と周辺物体との相対接近速度の車幅方向成分に関する車幅成分指標値を取得する。車幅成分指標値とは、自車両の周辺に位置する周辺物体に対する相対接近速度における当該自車両の車幅方向成分に関する値である。車幅成分指標値を取得するタイミングは、例えば、周辺物体検出部１２が当該周辺物体を検出したタイミングとすることができる。また、車幅成分指標値を取得するタイミングは、周辺物体検出部１２が検出した周辺物体との距離が所定距離以下になったタイミング等であってもよい。
【００３３】
また、指標値取得部３２は、取得した車幅成分指標値が、予め定められた規定値より小さいか否かを判定し、この判定結果を運転支援決定部３６に出力してもよい。この規定値は、指標値取得部３２において予め記憶された数量であってもよく、ドライバによる設定及び変更が可能な数量であってもよく、ドライバの運転特性に基づいてドライバ毎に異なる数量が設定可能なものであってもよい。
【００３４】
履歴取得部３４は、過去の周辺物体に対するドライバによる反応操作の運転履歴を記憶している。履歴取得部３４は、走行状態検出部１０から出力された自車両走行情報、周辺物体検出部１２から出力された周辺物体情報、運転操作検出部１４から出力された運転操作情報、及び指標値取得部３２によって取得された車幅成分指標値に基づいて、上記運転履歴を取得（記憶）する。履歴取得部３４は、過去の周辺物体に対するドライバの反応操作の運転履歴として、過去の反応操作時における前後方向接近感指標及び横方向接近感指標の履歴を運転履歴として取得（記憶）する。ドライバの反応操作毎に前後方向接近感指標及び横方向接近感指標の組合せが取得される。
【００３５】
図２を参照して履歴取得部３４が取得する前後方向接近感指標及び横方向接近感指標の取得方法についてより具体的に説明する。説明の便宜上、図２において自車両Ｖ０の進行方向（前後方向）をＸ軸方向とし、Ｘ軸方向に直交する自車両Ｖ０の車幅方向（横方向）をＹ軸方向とする。図２は、周辺物体としての歩行者Ｐに対するドライバの反応操作時において、自車両Ｖ０が速度Ｖで道路をＸ軸方向に走行しており、歩行者Ｐが速度Ｖｐで道路外を自車両Ｖ０方面に移動している状況を示している。以下では、速度ＶｐのＸ方向成分は−Ｖｌであるとし、速度ＶｐのＹ方向成分はＶｄであるとする。この場合、自車両Ｖ０と歩行者Ｐとの相対接近速度におけるＸ方向成分は速度Ｖ＋Ｖｌとなり、自車両Ｖ０と歩行者Ｐとの相対接近速度におけるＹ方向成分は速度Ｖｄとなる。また、自車両Ｖ０と歩行者Ｐとの相対距離におけるＸ方向成分を距離Ｌとし、自車両Ｖ０と歩行者Ｐとの相対距離におけるＹ方向成分を距離Ｄとし、自車両Ｖ０の−Ｘ方向の加速度（すなわち、減速度）をＡｘとする。ここでは、履歴取得部３４は、（Ｖ＋Ｖｌ）／Ｌを前後方向接近感指標として算出し、Ｖｄ／Ｄを横方向接近感指標として算出する。
【００３６】
また、履歴取得部３４が前後方向接近感指標と横方向接近感指標との組合せを取得するタイミングは、上記のアクセルペダルＯＦＦ操作、エンジンブレーキＯＮ操作、ブレーキペダルＯＮ操作、車線変更等のための操舵操作、その操舵を戻すための操舵操作のそれぞれのタイミングでもよい。更に、アクセルペダルＯＦＦ操作からブレーキペダルＯＮ操作までの間における任意のタイミングでもよく、車線変更等のための操舵操作からその操舵を戻すための操舵操作までの間における任意のタイミングでもよい。また、前後方向接近感指標と横方向接近感指標との組合せを取得するタイミングの選び方は、上記以外の特定の操作やタイミングであってもよく、上記以外の複数の選択パターンであってもよい。
【００３７】
なお、ブレーキペダルＯＮ操作を開始してから所定時間（例えば、自車両と周辺物体との位置関係が大きく変化するのに十分な時間）が経過した後は、当該周辺物体に関する前後方向接近感指標と横方向接近感指標との組合せを取得するタイミングとしないことが望ましい。
【００３８】
運転反応傾向判定部３５は、履歴取得部３４によって取得された前後方向接近感指標及び横方向接近感指標の組合せを含む運転履歴に基づいて、ドライバの運転反応傾向が車幅方向反応傾向であるか又は進行方向反応傾向であるかを判定する。以下、運転反応傾向の判定についてグラフを用いて説明する。
【００３９】
図３は、前後方向接近感指標及び横方向接近感指標の組合せの分布の一例を示すグラフである。図３の縦軸は前後方向接近感指標を示し、横軸は横方向接近感指標を示している。図３に、周辺物体ごとの前後方向接近感指標及び横方向接近感指標の組合せに対応する点をプロットする。
【００４０】
まず、運転反応傾向判定部３５は、複数の組合せのそれぞれに関して、前後方向接近感指標（Ｖ＋Ｖｌ）／Ｌを横方向接近感指標Ｖｄ／Ｄで除して得られる除算値（すなわち、前後方向接近感指標（Ｖ＋Ｖｌ）／Ｌの横方向接近感指標Ｖｄ／Ｄに対する比率）を算出する。次に、運転反応傾向判定部３５は、この除算値が所定の閾値αより大きくなる組合せの数Ｎｂを算出し、更に、除算値がその所定の閾値αより小さくなる組合せの数Ｎｓを算出する。所定の閾値αは、運転反応傾向判定部３５において予め記憶された数値であってもよく、設計者による設定及び変更が可能な数値であってもよく、ドライバの運転特性に基づいてドライバ毎に異なる値が設定可能な数値であってもよく、例えば定数としての１であってもよい。そして、運転反応傾向判定部３５は、組合せの数Ｎｓよりも組合せの数Ｎｂが多いか否かを判定する。
【００４１】
図３において示される組み合わせの一例では、縦軸が前後方向接近感指標（Ｖ＋Ｖｌ）／Ｌの大きさを示し、横軸が横方向接近感指標Ｖｄ／Ｄの大きさを示しているグラフにおいて、前後方向接近感指標（Ｖ＋Ｖｌ）／Ｌの大きさがβｙであって横方向接近感指標Ｖｄ／Ｄの大きさがβｘである組合せに対応する点Ｂが示されている。運転反応傾向判定部３５は、その組合せに対応する点Ｂに関して、前後方向接近感指標（Ｖ＋Ｖｌ）／Ｌであるβｙを横方向接近感指標Ｖｄ／Ｄであるβｘで除して得られる除算値β（＝βｙ／βｘ）を算出する。除算値βは、図３におけるグラフの原点と上述の組合せに対応する点Ｂとを結ぶ直線の傾きである。次に、運転反応傾向判定部３５は、図３において示される例では、除算値が所定の閾値αより大きくなる組合せの数Ｎｂとして８を算出し、更に、除算値がその所定の閾値αより小さくなる組合せの数Ｎｓとして６を算出する。そして、運転反応傾向判定部３５は、図３において示される例では、組合せの数Ｎｓである６よりも組合せの数Ｎｂである８が多いと判定する。そして、運転反応傾向判定部３５は、そのドライバが、自車両の進行方向における周辺物体に対する運転反応傾向に関してドライバが進行方向反応傾向を有すると判定する。すなわち、所定の閾値αは、図３においてドライバの運転反応傾向が車幅方向反応傾向であるか又は進行方向反応傾向であるかを判定するための直線の傾きである。
【００４２】
運転支援決定部３６は、運転反応傾向判定部３５の判定結果と、指標値取得部３２によって取得された車幅成分指標値とに基づいて、自車両による周辺物体の回避に関する運転支援制御を行う。運転支援決定部３６は、例えば、周辺物体との接触を回避するための報知をドライバに行う運転支援制御を行う。
【００４３】
また、運転支援決定部３６は、ドライバの運転反応傾向が進行方向反応傾向であると判定された場合に、指標値取得部３２によって取得された車幅成分指標値が小さいほど、運転支援制御の支援度合いを高める。
【００４４】
ここで、指標値取得部３２によって取得された車幅成分指標値が小さいほど、運転支援制御の支援度合いを高めるとは、より具体的には、以下の第一の具体例及び第二の具体例の何れかを含むものである。第一の具体例において、運転支援決定部３６は、ドライバの運転反応傾向が進行方向反応傾向であると判定された場合であって、且つ、指標値取得部３２によって取得された車幅成分指標値が予め定められた規定値より小さい場合に、当該車幅成分指標値が当該規定値より大きい場合と比べて、運転支援制御の支援度合いを高める。或いは、第二の具体例において、運転支援制御の支援度合の高さは、当該車幅成分指標値と当該支援度合いとの関係が定められたマップを用意し当該マップに適用することで設定することもできる。当該マップにおいては、当該車幅成分指標値が大きくなるに反比例して、当該支援度合いの高さが連続して大きくなるように、当該車幅成分指標値と当該支援度合いとの関係が定められている。これらの何れかよって、運転支援決定部３６は、ドライバの運転反応傾向が進行方向反応傾向であると判定された場合に、指標値取得部３２によって取得された車幅成分指標値が小さいほど、運転支援制御の支援度合いを高める。これらにより、運転支援決定部３６においては、ドライバの運転反応傾向が進行方向反応傾向であると判定された場合に、指標値取得部３２によって取得された車幅成分指標値が小さい値x1である場合の運転支援制御の支援度合いy1と、車幅成分指標値が当該x1よりも大きい値x2である場合の運転支援制御の支援度合いy2と、を比較した際、y1がy2よりも高くなるように当該車幅成分指標値と当該支援度合いとの関係が設定されることとなる。
【００４５】
具体的には、運転支援決定部３６は、運転反応傾向判定部３５によってドライバの運転反応傾向が進行方向反応傾向であると判定された場合に、指標値取得部３２から車幅成分指標値と規定値との比較結果を受信する。そして、運転支援決定部３６は、車幅成分指標値が規定値より小さいという大小比較結果となる自車両の走行状態時に、当該車幅成分指標値が当該規定値より大きい場合と比べて報知の度合いを上げて（運転支援制御の支援度合いを高めて）警報を発生することを決定する。報知の度合いとは、後述するように、発生させた警報のドライバによる気づき易さのことである。なお、運転支援決定部３６は、上述したように、指標値取得部３２によって取得された車幅成分指標値が小さいほど（すなわち、周辺物体と自車両との車幅方向の距離が長いほど、及び周辺物体と自車両との車幅方向の相対接近速度が小さいほど）、報知の度合いを上げて（運転支援制御の支援度合いを高めて）警報を発生することを決定することが可能である。
【００４６】
ここで、図４を用いて、運転支援制御の支援度合いを高めることの具体例として、警報発生時の報知の度合いを高く設定することに関する説明を行う。図４は、縦軸が報知の度合いの高さを示す場合において、報知の度合いが中間の高さよりも高い度合いとして設定されていることを示している。報知の度合いが中間の高さよりも高い場合、例えば、警報を発生して報知するタイミングを通常時より早めに設定すること、ドライバが通常時より遥かに気づきやすい色（例：赤色、橙色、黄色）の光を発光させること、ドライバが通常時より認識しやすい通常時より高い周波数の振動を発生させること、ドライバが通常時より気づきやすいように通常時より大きい音量で注意喚起のための音声を再生すること等が行われる。一方、報知の度合いが中間の高さより低い場合、例えば、報知の度合いが中間の高さのときより遅めのタイミングで警報を発生すること、報知の度合いが中間の高さのときよりドライバが気づき難い色（例：上述の色以外の色）の光を発光させること報知の度合いが中間の高さのときよりドライバが認識し難い低い周波数の振動を発生させること、報知の度合いが中間の高さのときよりドライバが気づき難い小さい音量で注意喚起のための音声を再生すること等が行われる。
【００４７】
次に、警報内容の一例のイメージについて図５を用いて説明する。図５は、縦軸が報知の度合いの高さを示し、横軸が横方向接近感の強さを示すグラフである。横方向接近感とは、自車両に接近中の周辺物体に対する自車両の車幅方向における接近度合いの感覚的な大きさのことである。横方向接近感の大きさは、例えば、自車両と周辺物体との相対速度における自車両の車幅方向成分Ｖｄを、自車両と周辺物体との相対距離における自車両の車幅方向成分Ｄにより除した横方向接近感指標Ｖｄ／Ｄによって示すことができる。運転支援決定部３６は、運転反応傾向判定部３５によってドライバの運転反応傾向が進行方向反応傾向であると判定された場合に、指標値取得部３２によって取得された現時点での周辺物体に関する横方向接近感指標が規定値（ここでは運転履歴から得られる最大値及び最小値の中間値）より小さい自車両の走行状態時に、当該車幅成分指標値が当該規定値より大きい場合と比べて、中間の高さよりも高い報知の度合い（縦軸における値）で、警報を発生することを決定する（図５における左上のマスに示される状態）。なお、運転支援決定部３６は、指標値取得部３２によって取得された現時点での周辺物体に関する横方向接近感指標が小さいほど、報知の度合い（縦軸における値）を高めることを決定してもよい。
【００４８】
これにより、運転支援決定部３６は、進行方向反応傾向を有するドライバに対して、早めの反応操作を行うよう強く促す報知が可能になる。なお、図５に示される一例では、指標値取得部３２によって取得された現時点での周辺物体に関する横方向接近感指標が中間値より大きい走行状態時においても報知することが決定されているが（図５における右上のマスに示される状態）、そのような走行状態時においては報知が行われなくてもよい。
【００４９】
上述の運転支援決定部３６は、上述の運転支援制御を実施することを決定すると、運転支援制御を実施させる制御信号を報知部４０に出力する。
【００５０】
報知部４０は、運転支援ＥＣＵ３０からの出力に応じた運転支援を実行する。報知部４０は、例えばディスプレイや振動発生装置や音声再生用スピーカである。報知部４０は、運転支援ＥＣＵ３０から出力された制御信号に基づいて警報表示の出力、振動の発生、音声の再生を行って、ドライバに報知する。
【００５１】
なお、運転反応傾向判定部３５は、図６において示される別の例では、除算値が所定の閾値αより大きくなる組合せの数Ｎｂとして３を算出し、更に、除算値がその所定の閾値αより小さくなる組合せの数Ｎｓとして１２を算出する。そして、運転反応傾向判定部３５は、図６において示される例では、組合せの数Ｎｂである３よりも組合せの数Ｎｓである１２が多いと判定する。そして、運転反応傾向判定部３５は、そのドライバが、自車両の進行方向における周辺物体に対する運転反応傾向に関してドライバが車幅方向反応傾向を有すると判定する。
【００５２】
そして、運転支援決定部３６は、運転反応傾向判定部３５によってドライバの運転反応傾向が車幅方向反応傾向であると判定された場合に、指標値取得部３２から車幅成分指標値と規定値との比較結果を受信する。そして、運転支援決定部３６は、車幅成分指標値が規定値より小さいという大小比較結果となる自車両の走行状態時に、当該車幅成分指標値が当該規定値より大きい場合と比べて報知の度合いを下げて（運転支援制御の支援度合いを低くして）警報を発生することを決定する。
【００５３】
ここで、警報内容の一例のイメージについて図７を用いて説明する。図７は、縦軸が報知の度合いの高さを示し、横軸が横方向接近感の強さを示すグラフである。運転支援決定部３６は、運転反応傾向判定部３５によってドライバの運転反応傾向が車幅方向反応傾向であると判定された場合に、指標値取得部３２によって取得された現時点での周辺物体に関する横方向接近感指標が規定値（ここでは運転履歴から得られる最大値及び最小値の中間値）より小さい自車両の走行状態時に、当該車幅成分指標値が当該規定値より大きい場合と比べて、中間の高さよりも低い報知の度合い（縦軸における値）で、警報を発生することを決定する（又は、図７における左下のマスに示されるように警報を発生させない）。
【００５４】
これにより、運転支援決定部３６は、車幅方向反応傾向を有するドライバに対して、早めの反応操作を行うよう弱く促す報知（又は、報知しないこと）が可能になる。なお、図７に示される一例では、指標値取得部３２によって取得された現時点での周辺物体に関する横方向接近感指標が中間値より大きい走行状態時においても報知することが決定されているが（図７における右上のマスに示される状態）、そのような走行状態時においては報知が行われなくてもよい。
【００５５】
次に、上述した運転支援ＥＣＵ３０の処理の流れ（運転支援方法及び警報方法）について図面を参照して説明する。
【００５６】
図８に示されるように、運転支援ＥＣＵ３０では、指標記憶処理（ステップＳ０１）、報知内容調整処理（ステップＳ０３）、警報発生判定処理（ステップＳ０５）の順で処理を行う。なお、図８に示される各処理は、例えば運転支援装置１により自車両の周辺に物体が存在することが検出されたことを契機として開始され、所定の間隔で繰り返し実行される。
【００５７】
指標記憶処理では、図９に示されるように、まず走行状態検出部１０による自車両走行情報の取得、周辺物体検出部１２による周辺物体情報の取得、及び運転操作検出部１４による運転操作情報の取得が行われ、指標値取得部３２が、走行状態検出部１０から出力された自車両走行情報、周辺物体検出部１２から出力された周辺物体情報、及び運転操作検出部１４から出力された運転操作情報に基づいて、現時点で自車両はターゲットシーンにあるか否かを判定する（ステップＳ１１、周辺物体検出ステップ）。ターゲットシーンとは、自車両の周辺に、目標物標としての周辺物体が検出された状況のことである。
【００５８】
ステップＳ１１において、現時点で自車両はターゲットシーンにないと判定された場合、運転支援ＥＣＵ３０における一連の処理は終了する。一方、現時点で自車両はターゲットシーンにあると判定された場合、指標値取得部３２が、走行状態検出部１０から出力された自車両走行情報、周辺物体検出部１２から出力された周辺物体情報、及び運転操作検出部１４から出力された運転操作情報に基づいて、車幅成分指標値を取得する。そして、履歴取得部３４が、履歴取得部３４において記憶されている前後方向接近感指標及び横方向接近感指標の組合せの数（すなわち、組合せの記憶回数）はＮ以下であるか否かを判定する（ステップＳ１３、指標値取得ステップ）。Ｎは、前後方向接近感指標及び横方向接近感指標を記憶する際に予め規定された回数であって、設計パラメータである。前後方向接近感指標及び横方向接近感指標の追加記憶処理を無制限に行う場合は、その記憶回数Ｎを無限大に設定すればよい。
【００５９】
ステップＳ１３において、履歴取得部３４において記憶されている前後方向接近感指標及び横方向接近感指標の組合せの記憶回数はＮより大きいと判定された場合、運転支援ＥＣＵ３０における一連の処理は終了する。一方、履歴取得部３４において記憶されている前後方向接近感指標及び横方向接近感指標の組合せの記憶回数はＮ以下であると判定された場合、後述のステップＳ１５に移行する。
【００６０】
ステップＳ１５では、指標値取得部３２が、走行状態検出部１０から出力された自車両走行情報、周辺物体検出部１２から出力された周辺物体情報、及び運転操作検出部１４から出力された運転操作情報に基づいて、周辺物体と自車両とが通常時と同様の接近状態にあるか否かを判定する（周辺物体検出ステップ）。周辺物体と自車両とが通常時と同様の接近状態であると判定されるのは、自車両の周辺物体に対するドライバの反応操作があった場合である。ここで、周辺物体と自車両とが通常時と同様の接近状態でないと判定された場合、運転支援ＥＣＵ３０における一連の処理は終了する。一方、周辺物体と自車両とが通常時と同様の接近状態であると判定された場合、後述のステップＳ１７に移行する。
【００６１】
ステップＳ１７では、履歴取得部３４が、走行状態検出部１０から出力された自車両走行情報、周辺物体検出部１２から出力された周辺物体情報、運転操作検出部１４から出力された運転操作情報、及び指標値取得部３２によって取得された車幅成分指標値に基づいて、前後方向接近感指標と横方向接近感指標との組合せを算出する。そして、履歴取得部３４が、算出された前後方向接近感指標と横方向接近感指標との組合せを、図３や図６のように示されるグラフにおける一点として記憶する（履歴取得ステップ）。そして、指標記憶処理における一連の処理は終了する。
【００６２】
報知内容調整処理では、図１０に示されるように、まず運転反応傾向判定部３５が、複数の組合せのそれぞれに関して、前後方向接近感指標（Ｖ＋Ｖｌ）／Ｌを横方向接近感指標Ｖｄ／Ｄで除して得られる除算値（すなわち、前後方向接近感指標（Ｖ＋Ｖｌ）／Ｌの横方向接近感指標Ｖｄ／Ｄに対する比率）を算出する。次に、運転反応傾向判定部３５は、除算値が所定の閾値αより大きくなる組合せの数Ｎｂを算出し、更に、除算値がその所定の閾値αより小さくなる組合せの数Ｎｓを算出する。
【００６３】
そして、運転反応傾向判定部３５は、組合せの数Ｎｓよりも組合せの数Ｎｂが多いか否かを判定する（ステップＳ２１、運転反応傾向判定ステップ）。そのステップＳ２１における判定は、言い換えれば、所定の閾値αと横方向接近感指標Ｖｄ／Ｄとの積算値よりも前後方向接近感指標（Ｖ＋Ｖｌ）／Ｌが大きい関係にある組合せの数Ｎｂが、所定の閾値αと横方向接近感指標Ｖｄ／Ｄとの積算値よりも前後方向接近感指標（Ｖ＋Ｖｌ）／Ｌが小さい関係にある組合せの数Ｎｓよりも多いか否かの判定と実質的に同じである。
【００６４】
ステップＳ２１において、組合せの数Ｎｂが組合せの数Ｎｓよりも多いと判定された場合、後述のステップＳ２３に移行する。一方、組合せの数Ｎｂが組合せの数Ｎｓよりも少ないと判定された場合、後述のステップＳ２５に移行する。
【００６５】
ステップＳ２３では、運転反応傾向判定部３５が、ドライバは進行方向反応傾向を有すると判定し（運転反応傾向判定ステップ）、運転支援決定部３６が、運転反応傾向判定部３５の判定結果と、指標値取得部３２によって取得された車幅成分指標値とに基づいて、指標値取得部３２によって取得された車幅成分指標値が小さい（自車両の幅方向からの周辺物体の接近感が弱い）ほど、周辺物体に対する報知の度合いを高く設定する（運転支援決定ステップ）。運転支援決定部３６は、指標値取得部３２によって取得された車幅成分指標値が予め定められた規定値より小さい場合に、当該車幅成分指標値が当該規定値より大きい場合と比べて、報知の度合いを高めてもよい。そして、報知内容調整処理における一連の処理は終了する。
【００６６】
ステップＳ２５では、運転反応傾向判定部３５が、ドライバは車幅方向反応傾向を有すると判定し（運転反応傾向判定ステップ）、運転支援決定部３６が、運転反応傾向判定部３５の判定結果と、指標値取得部３２によって取得された車幅成分指標値とに基づいて、指標値取得部３２によって取得された車幅成分指標値が小さい（自車両の幅方向からの周辺物体の接近感が弱い）ほど、周辺物体に対する報知の度合いを低く設定する（運転支援決定ステップ）。そして、報知内容調整処理における一連の処理は終了する。
【００６７】
警報発生判定処理では、図１１に示されるように、まず走行状態検出部１０による自車両走行情報の取得、周辺物体検出部１２による周辺物体情報の取得、及び運転操作検出部１４による運転操作情報の取得が行われ、指標値取得部３２が、走行状態検出部１０から出力された自車両走行情報、周辺物体検出部１２から出力された周辺物体情報、及び運転操作検出部１４から出力された運転操作情報に基づいて、現時点で自車両はターゲットシーンにあるか否かを判定する（ステップＳ３１）。
【００６８】
ステップＳ３１において、現時点で自車両はターゲットシーンにないと判定された場合、運転支援ＥＣＵ３０における一連の処理は終了する。一方、現時点で自車両はターゲットシーンにあると判定された場合、後述のステップＳ３３に移行する。
【００６９】
ステップＳ３３では、運転支援決定部３６が、走行状態検出部１０から出力された自車両走行情報、周辺物体検出部１２から出力された周辺物体情報、及び運転操作検出部１４から出力された運転操作情報に基づいて、周辺物体と自車両とが通常時と同様の接近状態にあるか否かを判定する。周辺物体と自車両とが通常時と同様の接近状態であると判定されるのは、自車両の周辺物体に対するドライバの反応操作があった場合である。
【００７０】
そのステップＳ３３において、周辺物体と自車両とが通常時と同様の接近状態にあると判定された場合、後述のステップＳ３５に移行する。一方、そのステップＳ３３において、周辺物体と自車両とが通常時と同様の接近状態にないと判定された場合、後述のステップＳ３７に移行する。
【００７１】
ステップＳ３５では、履歴取得部３４が、横方向接近感指標及び前後方向接近感指標の組合せを追加記憶してデータベースを更新する。そして、運転支援ＥＣＵ３０における一連の処理は終了する。
【００７２】
ステップＳ３７では、運転支援決定部３６が、上述のステップＳ２３又はステップＳ２５において設定された報知の度合いに応じた報知内容である警報を発生する（運転支援決定ステップ）。なお、ステップＳ２５において設定された報知の度合いによっては、警報は発生されないことがある。そして、運転支援ＥＣＵ３０における一連の処理は終了する。
【００７３】
次に、本発明の一態様に係る運転支援装置１の作用効果について説明する。運転支援装置１によれば、過去の周辺物体に対するドライバによる反応操作の運転履歴に基づいてドライバが進行方向反応傾向を有すると判定された場合に、指標値取得部３２によって取得された車幅成分指標値が小さいほど、運転支援制御の支援度合いが高められる。なお、車幅成分指標値が小さいほど、進行方向反応傾向を有するドライバに対する運転支援制御の必要性が高まることから、ドライバが進行方向反応傾向を有すると判定された場合に、車幅成分指標値が小さいほど、運転支援制御の支援度合いが高められると、ドライバの運転反応傾向を考慮しない場合と比べて、ドライバ毎に応じた適切な運転支援が可能になる。この結果、ドライバに違和感を与えることなくドライバ毎に応じて適切に運転支援を行うことができる。
【００７４】
例えば、自車両の進行方向前方に歩行者が存在しておりその歩行者が横断歩道を低速度で横断しようとしているか否かの判定が微妙且つ困難である場合においては、自車両の車幅方向における歩行者との相対速度に関する指標値が小さい走行状態時に相当する。そのとき、ドライバが進行方向反応傾向を有すると判定された場合に、歩行者と自車両とがそのような相対関係となる走行状態であることを認識させるための注意喚起が比較的強めに行われる。このことから、自車両の車幅方向において接触する可能性の小さい歩行者の存在に関してドライバを敏感にさせて、その歩行者が横断するか否かに関する判断ミスを防ぐ可能性を高めることができる。また、運転支援装置１によれば、指標値取得部３２によって取得された歩行者についての車幅成分指標値が小さいほど、運転支援制御の支援度合いを高めることができる。
【００７５】
また、運転支援装置１によれば、過去の周辺物体に対するドライバによる反応操作の運転履歴に基づいてドライバが車幅方向反応傾向を有すると判定された場合に、指標値取得部３２によって取得された車幅成分指標値が小さいほど、運転支援制御の支援度合いが低くなる（警報を弱めて発生させるか警報を発生させない）。なお、車幅成分指標値が小さいほど、車幅方向反応傾向を有するドライバに対する運転支援制御の必要性が低くなることから、ドライバが車幅方向反応傾向を有すると判定された場合に、車幅成分指標値が小さいほど、運転支援制御の支援度合いが低くなると、ドライバの運転反応傾向を考慮しない場合と比べて、ドライバ毎に応じた適切な運転支援が可能になる。この結果、煩わしさ及び違和感を与えることなくドライバ毎に応じて適切に運転支援を行うことができる。
【００７６】
例えば、自車両の進行方向前方に歩行者が存在しておりその歩行者が横断歩道を低速度で横断しようとしているか否かの判定が微妙且つ困難である場合においては、自車両の車幅方向における周辺物体との相対速度に関する指標値が小さい走行状態時に相当する。そのとき、ドライバが車幅方向反応傾向を有すると判定された場合に、歩行者と自車両とがそのような相対関係となる走行状態であることを認識させるための注意喚起が比較的弱めに行われる（又は注意喚起が行われない）。このことから、報知が行われることに対する煩わしさ及び違和感を、ドライバに感じさせないようにすることができる。
【００７７】
以上、本発明の一実施形態について説明してきたが、上述した実施形態に限定されることなく種々の変形態様を構成可能である。例えば、前後方向接近感指標は、一例として、自車両の進行方向における相対速度を、自車両と周辺物体とのその進行方向における距離で除して得られる除算値であるとして説明したが、前後方向接近感指標は、自車両の進行方向における相対加速度を、自車両と周辺物体とのその進行方向における距離で除して得られる除算値であってもよい。その場合、横方向接近感指標は、自車両の車幅方向における相対加速度を、自車両と周辺物体とのその車幅方向における距離で除して得られる除算値とすればよい。
【産業上の利用可能性】
【００７８】
本発明によれば、ドライバ毎に応じた運転支援を適切に行うことができる。
【符号の説明】
【００７９】
１…運転支援装置、１０…走行状態検出部、１２…周辺物体検出部、１４…運転操作検出部、１６…車速センサ、１８…加速度センサ、２０…レーダ、２２…車外カメラ、２４…ブレーキペダルセンサ、２６…アクセルペダルセンサ、２８…操舵センサ、３０…運転支援ＥＣＵ、３２…指標値取得部、３４…履歴取得部、３５…運転反応傾向判定部、３６…運転支援決定部、４０…報知部。
【図１】
2015153200.tif 000003
【図２】
2015153200.tif 000004
【図３】
2015153200.tif 000005
【図４】
2015153200.tif 000006
【図５】
2015153200.tif 000007
【図６】
2015153200.tif 000008
【図７】
2015153200.tif 000009
【図８】
2015153200.tif 000010
【図９】
2015153200.tif 000011
【図１０】
2015153200.tif 000012
【図１１】
2015153200.tif 000013